(57)【特許請求の範囲】
【請求項１】
伸縮可能に配置された外形部をもつ昇降コラムであって、上記伸縮可能に配置された外形部は上端および下端を有し、上記上端はこれに固定されたハウジングを有する昇降コラムと、
少なくとも上記昇降コラムのハウジングの一部を受容する区画をもつベースユニットと、
上記ベースユニットに取り付けるための横部材と、
ロック要素と、を含み、
前記ロック要素がロック位置をとるとき上記ベースユニットと上記昇降コラムのハウジングと上記横部材との間に圧迫力を付与するとともに、これによって上記昇降コラムのハウジングと上記横部材とが上記ベースユニットに固定され、かつ当該ロック要素は当該ロック要素を上記ロック位置に保持する手段を有しており、
上記ベースユニットは、上記昇降コラムのハウジングの幅と対応する相互間間隔を隔てた２つの平行側壁をもつＵ型横断面を有することを特徴とする、支持フレーム。
【請求項２】
上記横部材は、上記ベースユニットとの係合を予定するＣ型横断面を有することを特徴とする、請求項１に記載の支持フレーム。
【請求項３】
上記ベースユニットは、上記横部材と係合するためのフラップを含むことを特徴とする、請求項２に記載の支持フレーム。
【請求項４】
上記ベースユニットは、当該ベースユニットの上記側壁間の横壁を含むことを特徴とする、請求項１に記載の支持フレーム。
【請求項５】
上記横壁は、上記昇降コラムのハウジングの少なくとも一部を受容することが予定される上記ベースユニットの上記区画内に突出する端部をもつ舌片を含むことを特徴とする、請求項４に記載の支持フレーム。
【請求項６】
上記横部材は、当該横部材が上記ベースユニットに取り付けられたとき、上記昇降コラムのハウジングの少なくとも一部を受容するための上記ベースユニットの上記区画内に突出する自由端をもつ舌片を含むことを特徴とする、請求項１に記載の支持フレーム。
【請求項７】
上記昇降コラムの上記ハウジングは、上記横壁または上記横部材における上記舌片に係合するための凹入部を含むことを特徴とする、請求項５または６に記載の支持フレーム。
【請求項８】
上記フラップは、上記ベースユニットの上記区画に連続していることを特徴とする、請求項３に記載の支持フレーム。
【請求項９】
伸縮可能に配置された外形部をもつ昇降コラムであって、上記伸縮可能に配置された外形部は上端および下端を有し、上記上端はこれに固定されたハウジングを有する昇降コラムと、
少なくとも上記昇降コラムのハウジングの一部を受容する区画をもつベースユニットと、
上記ベースユニットに取り付けるための横部材と、
ロック要素と、を含み、
前記ロック要素がロック位置をとるとき上記ベースユニットと上記昇降コラムのハウジングと上記横部材との間に圧迫力を付与するとともに、これによって上記昇降コラムのハウジングと上記横部材とが上記ベースユニットに固定され、かつ当該ロック要素は当該ロック要素を上記ロック位置に保持する手段を有しており、
上記横部材は、当該横部材が上記ベースユニットに取り付けられたとき、上記昇降コラムのハウジングの少なくとも一部を受容するための上記ベースユニットの上記区画内に突出する自由端をもつ舌片を含むことを特徴とする、支持フレーム。
【請求項１０】
請求項１ないし９のいずれかに記載の支持フレームを含む高さ調整可能なテーブル。
【発明の詳細な説明】
【背景技術】
【０００１】
本発明は、家具用支持フレームに関し、上端および下端をもつ少なくとも１つの外形部を含む昇降コラムをもち、上記上端にはこれに固定されたハウジングを持つものに関する。
【０００２】
高さ調整可能なテーブルのための伸縮式ガイドおよびボックス状ハウジングを含む昇降コラムは１９９０年代後半に開発され、この伸縮式ガイドはテーブル脚の形態をもつ。ここで上記ボックス状ハウジングは通常矩形であり、電動モータ、トランスミッションおよび種々の電子機器を包含する。そのような昇降コラムの例は、ＬＩＮＡＫ  Ａ／Ｓに対する国際公開ＷＯ２００４／１００６３２Ａ１の図１に示されている。昇降コラムの他の例がＬＩＮＡＫ  Ａ／Ｓに対する国際公開ＷＯ０３／００３８７６Ａｌに開示されており、ここで駆動ユニット全体、すなわち、電動モータ、トランスミッションおよび種々の電子機器が上記伸縮式ガイド内に統合されている。
【０００３】
上部フレームを含む支持フレームは、典型的に２つの長手部材と２つの横部材、少なくとも１つの昇降コラム、および少なくとも１つの足を含む。上記したような昇降コラムは上端にボックス状ハウジングを有しまたは有しないで構成される。上記長手部材は通常、当該ボックス状ハウジングの幅と対応する相互間距離を隔てて平行に配置された完全なチューブ状外形部として構成される。上記長手部材の各端部には横部材が固定される。上記長手部材と横部材は通常、溶接されるか、またはねじ手段によって組み立てられる必要がある。昇降コラムは各端部に取り付けられ、上記ボックス状ハウジングは一端がそれぞれ上記横部材に接続する上記長手部材間に配置される。上記昇降コラムは上記２つの長手部材と上記横部材とを貫通するねじ手段によって上記ボックス状ハウジングに固定される。このようなテーブルの例がＬＩＮＡＫ  Ａ／Ｓに対する米国特許ＵＳ６，５０９，７０５Ｂ２の図１に示されている。上記支持フレームの組み立ては比較的困難で長時間を要する。これは、上記支持フレームの部品が比較的大型で重量物であることに拠る。さらに、上記支持フレームの組み立てには各部品を互いに正確に位置づけることが求められる多数回のねじ締め作業が必要である。
【先行技術文献】
【特許文献】
【０００４】
【特許文献１】国際公開ＷＯ２００４／１００６３２Ａ１
【特許文献２】国際公開ＷＯ０３／００３８７６Ａｌ
【特許文献３】米国特許ＵＳ６，５０９，７０５Ｂ２
【発明の概要】
【０００５】
本発明の目的は、調整可能な家具のための電動昇降コラム含み、簡便かつ短時間で組み立てることができ、かつ所望の家具に固定することができる支持フレームを提供することである。
【０００６】
この目的は、本発明にしたがい、昇降コラムハウジングの少なくとも一部を受容する区画をもつベースユニットと、上記ベースユニットに取り付けるための横部材をもつ支持フレームを構成することによって達成される。上記支持フレームは、ロック位置をとるとき上記ベースユニットと上記昇降コラムハウジングと上記横部材との間に圧迫力を付与するとともに、これによって上記昇降コラムハウジングと上記横部材とが上記ベースユニットに固定されるロック要素を含む。上記支持フレームはさらに、上記ロック要素をロック位置に保持する手段を含む。上記昇降コラムは、上端と下端を有して上記ハウジングが上記上端に固定される、伸縮可能に配置された外形部を有するタイプのものとすることができる。これにより、工具を用いることなく簡単で容易に組み立ておよび取り付けをすることができる支持フレームが達成される。
【０００７】
一つの実施例において、上記横部材は上記ベースユニットとの係合のために形成されたＣ型横断面をもつ形状を有する。さらなる実施例において、上記ベースユニットは上記横部材に係合するためのフラップを含む。
【０００８】
一つの実施例において、上記ベースユニットは、上記ベースユニットへの固定を含んで上記昇降コラムを正確に取り付けるためのガイドとして機能する、上記支持フレームの構造に依存するガイドを含む。
【０００９】
一つの実施例において、上記ベースユニットは、上記昇降コラムハウジングの幅と対応する相互間間隔を隔てた２つの平行側壁をもつＵ型横断面を有し、上記ベースユニットのための上記ガイドは上記平行側壁に配置される。上記ベースユニットの側壁と上記昇降コラムハウジングとの間のクリアランスを最小とすることにより、上記ベースユニットに対する上記ハウジングの改善された固定が達成される。
【００１０】
上記支持フレームの一つの実施例において、上記ベースユニットの上記ガイドは上記ベースユニットの上記側壁に配置され、または構成される。
【００１１】
一つの実施例において、上記ベースユニットは上記ベースユニットの上記２つの平行側壁を連結する横壁を含み、この横壁に対して上記昇降コラムハウジングの後端が当接することができる。上記ハウジングのさらに他の面が上記ベースユニットに固定されて、上記固定が改善される。
【００１２】
一つの実施例において、上記横壁は、上記ベースユニットの上記区画、すなわち上記昇降コラムハウジングの少なくとも一部を受容する区画内に突出する端部をもつ舌片を含む。他の実施例において、上記横部材は、当該横部材が上記ベースユニットに取り付けられたときに上記ベースユニットの上記区画、すなわち上記昇降コラムハウジングの少なくとも一部を受容する区画内に突出する端部をもつ舌片を含む。
【００１３】
一つの実施例において、上記昇降コラムハウジングは上記横壁または上記横部材における上記舌片に係合するための凹部を含む。この係合により、上記昇降コラムハウジングと上記ベースユニットとの間の固定が改善され、これにおいて上記ロック要素がロック位置をとるとき、上記昇降コラムハウジングが上記ベースユニットの底部に向けて押圧される。
【００１４】
一つの実施例において、上記ベースユニットは、当該ベースユニットの上記側壁に連続するようにして配置されたフラップを含む。これにより、上記昇降コラムハウジングと上記横部材との間の直接または間接の境界接続が確保される。上記ロック要素がロック位置をとるとき、上記ベースユニットと上記昇降コラムハウジングと上記横部材との間に圧迫力を付与することができる。
【００１５】
一つの実施例において、上記支持フレームは、上記ベースユニットの上記ガイドと協働するためのガイドをもつクランプを含む。この実施例において、上記昇降コラムハウジングは上記ベースユニットと上記クランプとの間に配置される。上記ロック要素がロック位置をとるとき、これは上記ベースユニットと上記クランプと協働して上記昇降コラムハウジングに圧迫力を付与し、この圧迫力は上記横部材に伝わる。これにより、上記昇降コラムハウジングと上記横部材とが上記ベースユニットに固定される。上記ロック要素は、一つの実施例において、上記クランプにおける開口に挿入され、かつロック位置に保持されることができる。
【００１６】
一つの実施例において、上記ベースユニットの上記横断面は、上記昇降コラムハウジングを開放端からスライドすることによって内部に配置することが可能な中空形状をもつ。便宜のため、上記中空形状のベースユニットは、上記昇降コラムの伸縮可能に配置された外形部のための凹部を含み、これにより、上記昇降コラムハウジングの全体を上記ベースユニット内に受容することができる。上記ベースユニットに上記昇降コラムを固定するため、上記中空形状のベースユニットは上記ロック要素を挿入し、かつロック位置に保持することができる開口を含むことができる。
【００１７】
一つの実施例において、上記昇降コラムハウジングは上記ベースユニットの上記ガイドと協働するためのガイドを含む。このようにして、上記昇降コラムおよび上記横部材をクランプを用いることなく上記ベースユニットに固定することができる。上記昇降コラムを固定するため、上記ベースユニットは上記ロック要素を挿入することができ、かつロック位置に保持するための開口を含む。
【００１８】
上記支持フレームの一つの実施例において、上記昇降コラムは、当該昇降コラムの動作をもたらすための電動モータおよびトランスミッションが上記昇降コラムハウジング内に配置されたタイプのものである。
【００１９】
他の実施例において、上記支持フレームは、上記昇降コラムの動作をもたらすための電動モータおよびトランスミッションが上記伸縮可能に配置された外形部の一つの内部に配置され、かつ、分離ユニットとしての上記ハウジングが上記伸縮可能に配置された外形部の一つの自由端に取り付けられたタイプのものである。
【００２０】
本発明は添付図面を参照して以下により詳細に説明される。図面をより明快にするために、図示される要素はしばしば切り取った図として示されることに留意するべきである。関連要素を通る破線は、そこで要素が短縮されていることを示す。
【図面の簡単な説明】
【００２１】
【図１】昇降コラムを装備する高さ調節可能なテーブルである。
【図２】図１に示す高さ調節可能なテーブルの支持フレームである。
【図３】昇降コラムの斜視図である。
【図４】一側から見た、収納位置にある昇降コラムである。
【図５】一側から見た、部分的に伸長位置にある昇降コラムである。
【図６】図５に示す昇降コラムの縦断面である。
【図７】昇降コラムの斜視図であり、駆動ユニットが伸縮可能に配置された外形部内に配置されている。
【図８】図７の昇降コラムのための分離ユニットとしてのハウジングである。
【図９】図８のハウジングに取り付けられた図７の昇降コラムである。
【図１０】図７の昇降コラムの縦断面である。
【図１１−２７】第１実施例にかかる支持フレームを示す図である。
【図２８】第２実施例にかかる支持フレームの分解斜視図である。
【図２９】第３実施例にかかる支持フレームの分解斜視図であり、昇降コラムにおける伸縮可能に配置された外形部の端部から当該昇降コラムを向く方向視で示す。
【図３０−３１】クランプおよびベースユニットの他の実施例である。
【図３２−３４】ロックブロックの実施例の側方から見た斜視図である。
【発明を実施するための形態】
【００２２】
図１に示す高さ調節可能なテーブル１は、ユーザが位置するであろう前側部３、後側部４、右側部５および左側部６を有するテーブルトップ２を含む。テーブルトップ２の右側部５および左側部６にはそれぞれ伸縮昇降コラム７が設けられている。上記昇降コラム７の下端はテーブルを横切って延びる長尺足８に取り付けられている。上記伸縮昇降コラム７は、操作ユニット９によって長手方向に調節可能であり、これによってテーブルトップ２の高さを調節することができる。上記２つの昇降コラムは制御部を含む制御ボックスに接続されている。さらに、上記制御ボックスはテーブルトップの高さを調整しうる上記制御ユニット９に接続されている。
【００２３】
図２は、図１に示す高さ調節可能なテーブルのための支持フレームの第１実施例を示す。上記支持フレームはさらに、２つのベースユニット１０，１１と２つのクランプ１２，１３を含んでおり、上記昇降コラムはこれらの間に取り付けられている。上記２つのベースユニット１０，１１は２つの伸縮可能に配置された長手部材１４，１５に接続されている。さらに、各ベースユニットはこれらに固定された横部材１６，１７を有している。
【００２４】
図３および図４は、それぞれ、昇降コラム１８の斜視図および側面図である。図５は同じ昇降コラム１８を部分的に伸長した状態で示す。上記昇降コラムは、３つの伸縮可能に配置された矩形外形部１９，２０，２１からなるガイドを含む。さらに、昇降コラム１８はボックス形状のハウジング２２を含む。上記昇降コラムを作動させるために、このハウジングはリニアアクチュエータを包含する（図６参照）。上記リニアアクチュエータは、上記ボックス状ハウジング２２（図６参照）内に配置されたモータユニット２３、および、上記矩形外形部１９，２０，２１の中空部内に配置された可動リニア起動要素からなる。上記モータユニット２３は、逆転可能な電動モータ２５およびトランスミッション２６を含む。上記可動リニア起動要素は、上記モータユニットのトランスミッション２６に上記モータハウジングの底部２７の孔を通じて連結されたスピンドルユニットとして構成されている。上記スピンドルユニットは、中実スピンドル２８、中空スピンドル２９および頂部にスピンドルナットをもつチューブ３０から構成されている。上記ハウジング２２は、２つの平行な側部３１，３２、平行な前端３３および後端３４をもつ、底部２７と同様な矩形の鋼製ボックスから構成されている。上記ハウジング２２の頂部はカバー３５で閉じることができる。上記前端３３および２つの側部３１，３２の外表面は、２つの表面を含む。第１の平面３１ａ，３３ａ（図４参照）は上記ハウジングの頂部からモータハウジングの底部２７に向けて上記矩形外形部１９，２０，２１の長手軸と平行に延び、かつこれと連続して第２の平面３１ｂ，３３ｂは上記矩形外形部１９，２０，２１の長手軸と鋭角をなし、かつ上記モータハウジングの底部２７に接続している。したがって、上記モータハウジングの頂部の面積は上記底部２７の面積より大きい。上記第１平面から上記第２平面への移行部、かつ上記第２平面から上記底部への移行部は、丸められている。上記後端はさらに、２つの凹入部２４ａ, ２４ｂ； ５８ａ, ５８ｂを含む。
【００２５】
図７は、ハウジングのない異なるタイプの昇降コラム、いわゆるインライン型昇降コラムの斜視図であり、電動モータ３７およびトランスミッション３８を含む駆動ユニット全体が伸縮可能に配置された外形部３９，４０，４１内に配置されている。図８は、上記昇降コラム３５の最上端、より正確には上記外形部４１に取り付けるように意図された分離ユニットとしてのハウジング４２を示す。上記ハウジング４２は、２つの平行な側部４３，４４、平行な前端４５および後端４６をもつ、底部４７と同様な矩形の鋼製ボックスからなる。上記ハウジングの頂部はカバーで閉じることができる。さらに、上記ハウジングは図７に示されるタイプの昇降コラムを取り付けるための取り付け面４８を含む。上記後端はさらに、２つの凹入部５８ａ，５８ｂを含む。図９は、上記ハウジング４２が設けられた昇降コラムの斜視図である。
【００２６】
図１０における駆動ユニットは、上記昇降コラムに伸縮動をもたらせるためのリニアアクチュエータとして構成されている。上記リニアアクチュエータは、中実スピンドル４９および中空スピンドル５０を含み、これら両ピンドルには雄ねじが形成されている。上記中空スピンドルの下端において、上記中実スピンドルのためのスピンドルナットが固定されており、上記スピンドルナットは雌ねじをもつハウジングとして構成されている。上記中空スピンドル５０を回転させることにより、上記中実スピンドル４９がその自由端において回転不能となっているので、上記スピンドルナット５１は上記中実スピンドル４９に沿って上方に螺進する。上記中空スピンドル５０は、内側に多数の軸方向に延びる溝５４が設けられた駆動チューブ５３に取り巻かれている。上記中空スピンドル５０の最上端において、その外側には上記駆動チューブ５３の上記溝５４に向けて突出する多数の外部フィンをもつリング５５が固定されている。上記駆動チューブ５３を取り巻いてガイドチューブ５６が設けられ、その下端には上記中空スピンドル５０のためのスピンドルナット５７が固定されている。上記スピンドルナット５７は、雌ねじをもつブッシュの形態をしている。上記駆動チューブ５３が回転させられると、上記ガイドチューブ５６はその上端において回転不能となっているので、上記中空スピンドル５０に沿って上方に螺進する。上記中空スピンドル５０が回転させられると、上記したようにこれに同期して上記中実スピンドル４９に沿って上方に螺進し、すなわち、軸方向動は中空スピンドルと中実スピンドルの動きが合わさったものとなる。上記駆動チューブ５３は電動モータ３７によりトランスミッション３８を介して駆動される。上記トランスミッションはウオームギヤを含み、このウオームギヤはギヤホイールセットを介して上記駆動チューブ５３を駆動するクラウンホイールを駆動する。
【００２７】
図１１は、上記支持フレームの第２実施例において、２つの側壁６０，６１、上記２つの側壁６０，６１間の横壁６２、および底部６３をもつベースユニット５９の斜視図を示す。上記側壁６０，６１は互いに反対側に位置する２つの凹部をもつ２つのフラップ６４，６５によって上記横壁６２の端部において延長されており、上記フラップは両面フックまたは留め金として表れるようになる。各側壁６０，６１は案内部として機能する２つのガイド６６，６７；６８，６９を含む。上記ベースユニットの上記横壁６２は２つの舌片７０，７１を含み、この舌片は自由端をもって上記ベースユニットの上記底部に向かって延びている。図１２は、上記ベースユニット５９を上記横壁６０，６１と平行な縦断面で示す。
【００２８】
図１３−２６を参照して、第１実施例にかかる上記支持フレームを、どのように組み立てるかを含めて以下に説明する。たとえば、図１３および１４中の矢印７２，７３は上記ベースユニットの上記フラップ６４，６５がどのようにしてＣ型外形の上記横部材７４内にガイドされるかを示す。図１５は、上記ベースユニット５９の側壁から見て、上記フラップ６５がどのようにして上記横部材の外形内に受容されるかを示す。図１６は、上記横部材７４における上記ベースユニット５９の配置を示す斜視図である。上記ベースユニット５９は上記横部材５４と同様にテーブルトップを上記支持フレームに取り付けるための多数の孔７５，７６；７７，８７を含むことがわかる。
【００２９】
図１７−２１は、上記昇降コラム７９、より詳しくは上記昇降コラムハウジング８０がどのように上記ベースユニット５９に位置させられるかを示す斜視図および断面図である。図を明快にするために、伸縮可能に配置された外形部８１は切断して示している。上記ベースユニット５９における上記昇降コラムハウジング８０の配置は矢印８２，８３で示され、これにより上記昇降コラムハウジング８０が上記ベースユニットの底部６３に対して配置されるとともに上記ベースユニットの上記側壁６０，６１間に配置されることがわかる。上記昇降コラム７９は、上記昇降コラムハウジング８０の（図３および８における後端４３，５４にそれぞれ対応する）後端８４が上記横壁６２に係合するように位置づけられる。上記後端８４は、図３および８における凹入部２４ａ，２４ｂ：５８ａ，５９ｂにそれぞれ対応する２つの凹入部８５（１つのみに番号が付されている）を有する。図２１からわかるように、上記ベースユニットの上記横壁６２における舌片７０は、上記昇降コラムハウジング８０上の上記凹入部８５に係合している。
【００３０】
図２２および２３は、上記クランプ８６がどのようにして上記ベースユニット５９に取り付けられるかを示す。上記クランプ８６はＵ型横断面を有しており、各側壁８７，８８に２つの孔８９，９０；９１，９２が設けられている。上記クランプ８６が上記ベースユニットに取り付けられるとき、上記クランプの上記孔８９，９０；９１，９２は上記ベースユニットの上記ガイド６６，６７；６８，６９と係合状態となり、これにより上記クランプ８６は上記ベースユニット５９に沿って案内されることが可能である。上記クランプ８６は開口９３を有し、図２４に示すように、この開口内にロックブロック９４の形態のロック要素を挿入することができる。上記ロックブロック９４は、図２６に示すように、回動態様で上記開口内にロック位置へと押し込まれることができる。このような動きの間、図２５に示すように、上記ロックブロックの表面９５は昇降コラムハウジング８０の前端９６に係合する。上記クランプの上記孔８９，９０；９１，９２と上記ベースユニットの上記ガイド６６，６７；６８，６９との間の係合、および上記ロックブロック９４の上記昇降コラムハウジング８０の前端９６への係合を通じて、上記ベースユニット５０に対する上記昇降コラムハウジング８０と上記クランプ８６との間の変位が生じる。図２５において矢印９７，９８，９９で示すように、上記クランプ８６は上記ベースユニットの上記横壁６２から離れる方向において、上記ベースユニットの底部６３に向けて押圧される。さらに、上記昇降コラムハウジング８０は上記ベースユニットの上記横壁６２に対して押圧される。上記ベースユニットの上記横壁６２における上記舌片７０と上記ハウジングの上記後壁における凹入部８５との間の係合を通じて、上記舌片７０は上記凹入部８５の底部に対して下向きの力を付与する。上記舌片７０が上記横壁６２に向けて押されると、当該舌片はその接続点周りに回動し、これによりさらに下方に延伸する。これにより、上記昇降コラムハウジング８０は図２１の矢印１００で示すように上記ベースユニットの底部６３に向けてさらに押圧される。上記ベースユニットの底部６３から上記ベースユニットの上記横壁６２への移行部に位置する回動ポイントをもって、上記横壁は図２１の矢印１０１で示すように上記横部材９４に対してさらに押圧される。このようにして、上記昇降コラム７９および横壁７４は上記ベースユニットに対して位置づけられ、かつ固定される。図２７は、第１実施例に係る支持フレームがどのようにして組み立てられるかを示す。
【００３１】
図２８は、第２実施例に係る支持フレームの分解斜視図である。ここでは上記ベースユニット１０２は矩形中空外形としての横断面を有して設計されている。当該ベースユニット１０２はロック要素１０４用に適合された開口１０３を含む。当該ベースユニット１０２はさらに、当該ベースユニット１０２の一端を向いて開放する凹部１０５を含む。上記ベースユニット１０２の同じ端部に連続して、上記横部材１１２における対応する数の孔１１０，１１１に係合するために設けられた多数の鉤型または留め金型フラップ１０８，１０９を有する。上記支持フレームの組み立てのため、上記昇降コラムの上記伸縮可能に配置された外形部１１５が上記ベースユニット１０２の上記凹部１０５から延出するようにして、上記ハウジング１１３が上記ベースユニット１０２における上記昇降コラム１１４上に位置させられる。続いて、上記横部材１１２が上記フラップ１０８，１０９と上記孔１１０，１１１との係合を通じて上記ベースユニット１０２に固定される。最後に上記ロック要素１０４が上記開口１０３に挿入され、かつロック位置に押圧される。こうして上記昇降コラムハウジング１１３は上記横部材１１２に対して押圧される。上記横部材１１２の上記舌片１１６，１１７と上記昇降コラムハウジング１１３の後端の（図３および８における凹入部２４ａ，２４ｂ；５８ａ，５８ｂにそれぞれ対応する）凹入部との係合を通じて、上記昇降コラムハウジング１１３が上記ベースユニットの上記中空外形部の底部に向けて押圧される。このようにして上記昇降コラム１１４および上記横部材１１２は上記ベースユニット１０２に固定され、かつ上記支持フレームが組み立てられる。
【００３２】
図２９は、第３実施例にかかる上記支持フレームを、上記昇降コラムの伸縮可能に配置された外形部の端部から見た、かつ上記昇降コラムハウジングを向いて見た分解斜視図で示す。ベースユニット１１８はＵ型横断面を有し、側壁１１９，１２０はそれぞれ２つのガイド１２１，１２；１２３，１２４を含む。昇降コラム１２５においても同様に上記ハウジング１２６の側壁１２９，１３０はガイド１２９，１３０を含む。上記側壁１２７におけるガイド１２９，１３０のみ図示されているのがわかる。対応するガイドが反対側の側壁１２８に位置している。上記側壁１２７の上記ガイド１２９，１３０は、上記ベースユニット１１８の上記側壁１２０におけるガイド１２３，１２４との係合が意図されている。上記側壁１１９，１２０のそれぞれは開口１３１，１３２を含んでおり、この開口にロックブロックの形態のロック要素を挿入しかつ固定することができる。
【００３３】
上記開口１３１，１３２の反対方において上記側壁１１９，１２０に連続して、上記ベースユニット１１８は、横部材１３９の孔１３７，１３９との係合のために設けられたブックまたは留め金型のフラップ１３５，１３６を含み、このようにして上記横部材を上記ベースユニット１１８に取り付けることができる。続いて上記昇降コラムのハウジング１２６が上記ベースユニット内に位置させられると、上記側壁１２７の上記ガイド１２９，１３０が上記ベースユニット１１８の側壁１２０における対応するガイド１２３，１２４に係合する。続いてロックブロック１３３，１３４が上記開口１３１，１３２に挿入され、かつ回転態様で当該開口１３１，１３２内にロック位置へと押圧される。こうして上記昇降コラムハウジング１２６は上記横部材１３９に対して押圧される。上記横部材１３９における舌片１４０，１４１と上記昇降コラムハウジング１２６の後端における（上記凹入部２４ａ，２４ｂ；５８ａ，５８ｂと対応する）凹入部との係合を通じて、上記昇降コラムハウジング１２６は上記ベースユニットの底部１４２に向かって押圧される。同様の原理が図２１に示されている。このようにして、上記昇降コラムと上記横部材１３９とが上記ベースユニット１１８に固定され、かつ上記支持フレームが組み立てられる。
【００３４】
図３０および３１はそれぞれ、別の実施例にかかるクランプ１４３およびベースユニット１４４を示す。機械強度を高めるために、上記クランプ１４３は当該クランプ１４３のＵ型外形部の底部１４６における外測に２つの補強部１４５を有して構成されている。同様の目的のために、上記ベースユニット１４４は当該ベースユニット１４４の各側壁１４９，１５０に補強部１４７，１４８を有して構成されている。
【００３５】
上述したようなロックブロックの構造および機能は、当該ロックブロックが１５１で参照される図３２−３４を参照して以下に説明する。このロックブロック１５１は、すべての要点において、２つの側部１５２，１５３、頂面１５４、第１端面、後面１５５、第２端面、おおび前面１５６をもつ楔形である。
【００３６】
上記頂面１５４は２つの側部１５２，１５３において溝部１５７，１５８を含む。上記頂面１５４から上記後面１５５への移行部において、ロックブロックは突出端１５９を含む。この突出端１５９は、当該ロックブロックが固定される上記開口の側面と係合するための垂直面１６０を含む。この突出端１５９はさらに、当該ロックブロックが固定される上記ユニット（クランプまたはベースユニット）の下側に対して係合するための水平面１６１を含む。上記頂面１５４は、襟部１６２を有して上記２つの側部１５２，１５３および上記前面１５６にわたって延びている。上記襟部１６２の下側１６３は、当該ロックブロックが固定される上記ユニット（クランプまたはベースユニット）の上側に対して係合することが意図されている。
【００３７】
上記襟部１６２の下側１６３から上記ロックブロックの２つの側部１５２，１５３および上記前面１５６への移行部は、上記頂面１５４に対して略直角である。この移行部の後、上記前面１５６は凹曲部をもち、その後上記後面１５５への移行部において凸面となっている。この移行部から、上記後面１５５は直線に延び、上記突出端１５９への移行部においてラウンドしている。
【００３８】
上記側部１５２，１５３において、２つの溝部１５７，１５８のそれぞれには、フラップ１６４，１６５として構成されたスナップロックが設けられており、これは、静止位置において上記頂面１５４に対して直角方向に延びている。このフラップ１６４，１６５は、当該フラップ１６４，１６５を部分的に包囲する上記溝部１６４，１６５の底部に固定されている。上記溝部１６４，１６５と上記フラップ１６４，１６５との間の自由空間は、上記フラップ１６４，１６５が上記ロックブロックの２つの側部１５２，１５３に対して直角の方向に傾斜することを可能にする。
【００３９】
上記スナップロックのフラップ１６４，１６５のそれぞれは、上記頂面１５４と平行な面を有し、当該ロックブロックが固定される上記ユニット（クランプまたはベースユニット）の下側に対して係合するために設けられた突出端１６６，１６７をもつ襟部を含む。
【００４０】
上記ロックブロック１５１をロック位置とするために、当該ロックブロック１５１は、上突出端１５９が上記開口の後端に係合するようにクランプまたはベースユニットの開口に挿入される。さらに、上記ロックブロック１５１の前面１５６から後面１５５までの凹曲移行部が上記昇降コラムハウジングの上記前端に載る。上記頂面１５４に力を加えることにより、上記ロックブロック１５１は回転して上記開口内に押し込まれ、上記開口の後端周りに回動する。さらに、上記昇降コラムハウジングは上記ロックブロック１５１から離れる方向に押され、同時に上記ロックブロックの前面１５６と上記昇降コラムハウジングの前端との間の接触部は次第に作用線から作用面に変化する。
【００４１】
上記ロックブロックが固定される上記ユニット（クランプまたはベースユニット）の上側に上記襟部１６２が当接すると、上記スナップロックのフラップ１６４，１６５が互いの方向へ後方傾斜し、かつそれらの静止位置に戻る。そのとき、上記突出端１６６，１６７は上記ロックブロックが固定される上記ユニット（クランプまたはベースユニト）の下側に係合する。上記ロックブロック１５１がこのように上記ユニットに押し込まれる結果、上記突出端１５９の水平面１６１と上記ユニットの下側とが係合し、上記ロックブロックの前面１５６と上記昇降コラムハウジングの前端とが作用面において係合し、かつ上記突出端１６６，１６７と上記ユニットの下側とが係合することになる。このようにして上記ロックブロック１５１はそのロック位置をとる。
【００４２】
上記ロックブロック１５１は、上記スナップロックのフラップ１６４，１６５を互いの方向へ後方傾斜させ、上記ロックブロックの前面１５６と上記昇降コラムハウジングの前端との係合を解除することにより、ロック位置から解除することができる。後者は、便宜上、ネジ回しやその類の物を上記頂面１５４の孔１６８，１６９の一つに挿入することにより行うことができる。
【００４３】
上記３つの実施例のそれぞれの要素または原理を上記支持フレームの特定の適用の考慮において組み合わせることができることがわかる。さらに、本明細書において本発明は高さ調整可能なテーブルに関して特に説明されているが、本発明はまたその他の家具についても用いうることがわかる。さらに、本発明は当初電動昇降コラムの取り付け用に意図されたが、本発明はまた、頂部にハウジングを有する限り、手動で調整可能な昇降コラムにも用いうることが明らかであることに留意のこと。
【図１】
0006647219.tif 000002
【図２】
0006647219.tif 000003
【図３】
0006647219.tif 000004
【図４】
0006647219.tif 000005
【図５】
0006647219.tif 000006
【図６】
0006647219.tif 000007
【図７】
0006647219.tif 000008
【図８】
0006647219.tif 000009
【図９】
0006647219.tif 000010
【図１０】
0006647219.tif 000011
【図１１】
0006647219.tif 000012
【図１２】
0006647219.tif 000013
【図１３】
0006647219.tif 000014
【図１４】
0006647219.tif 000015
【図１５】
0006647219.tif 000016
【図１６】
0006647219.tif 000017
【図１７】
0006647219.tif 000018
【図１８】
0006647219.tif 000019
【図１９】
0006647219.tif 000020
【図２０】
0006647219.tif 000021
【図２１】
0006647219.tif 000022
【図２２】
0006647219.tif 000023
【図２３】
0006647219.tif 000024
【図２４】
0006647219.tif 000025
【図２５】
0006647219.tif 000026
【図２６】
0006647219.tif 000027
【図２７】
0006647219.tif 000028
【図２８】
0006647219.tif 000029
【図２９】
0006647219.tif 000030
【図３０】
0006647219.tif 000031
【図３１】
0006647219.tif 000032
【図３２】
0006647219.tif 000033
【図３３】
0006647219.tif 000034
【図３４】
0006647219.tif 000035